(57)【要約】【課題】使用材料及びコストを節約できるペーパーハニカムコア電気スタンドの構造を提供する。【解決手段】ペーパーハニカムコアシェード１０は必要な寸法に合わせてカットされたペーパーハニカムコアにより構成され、内部に一端が外部と連通する収納スペース１６が形成され、外部連通端に嵌込み溝１７が設けられている。照明器部分２０は光を放射可能であり、収納スペース１６に収められ、嵌込み凸縁２３１有し、嵌込み溝１７と相互に嵌合して結合される。したがって、ペーパーハニカムコア電気スタンドの構造は必要な構成パーツを大幅に減らし、使用材料及びコストを節約できる。【選択図】　　図４
0003099214.tif 000002
【実用新案登録請求の範囲】
【請求項１】
ペーパーハニカムコアシェードを含み、前記シェードは必要な寸法に合わせてカットされたペーパーハニカムコアにより構成され、その内部に一端が外部と連通する収納スペースが形成され、前記シェードの外部連通端に嵌込み溝が設けられ、
照明器部分を含み、光を放射可能であり、前記収納スペースに収められ、嵌込み凸縁を有し、前記嵌込み溝と相互に嵌合して結合されることを特徴とするペーパーハニカムコア電気スタンド構造。
【請求項２】
前記シェードは、必要な寸法に合わせてカットされたペーパーハニカムコア本体を含み、前記本体は所定の伸縮性を有し、押さえられると収縮し、引張られると開くことが可能であり、且つ開いた状態では多数のハニカム状の貫通孔が形成されることを特徴とする請求項１に記載のペーパーハニカムコア電気スタンド構造。
【請求項３】
前記シェードの両側は更にそれぞれ一枚のジョイントフェースを有し、前記二枚のジョイントフェースの対応する位置にそれぞれ相互に接合可能である接合パーツが設けられ、前記二枚のジョイントフェースが接合され、前記収納スペースが形成されることを特徴とする請求項１に記載のペーパーハニカムコア電気スタンド構造。
【請求項４】
前記接合パーツは、相互に接着可能である面ファスナーとすることを特徴とする請求項３に記載のペーパーハニカムコア電気スタンド構造。
【請求項５】
前記嵌込み溝は、前記収納スペースの内壁周りに環状に設けられ、前記照明器部分は電球を一つ、導電ソケットを一つ及び接合リングを一つを有し、前記電球は前記導電ソケットに差し込まれ、前記導電ソケットは外部の電力と接続して電球に光を放たせることが可能であり、前記接合リングは前記導電ソケットにねじ込まれ、前記嵌込み凸縁は前記接合リングの外周縁に設けられることによって、前記嵌込み溝に嵌め込むことが可能であることを特徴とする請求項１に記載のペーパーハニカムコア電気スタンド構造。
【請求項６】
前記嵌込み溝は、シェードの囲い壁の外側に設けられ、前記照明器部分は電球を一つ、導電ソケットを一つ及び接合リングを一つを有し、前記電球は導電ソケットに差し込まれ、前記導電ソケットは外部の電力と接続して電球に光を放たせることが可能であり、前記接合リングは前記導電ソケットにねじ込まれ、前記接合リングの周縁が垂直に伸びて囲い壁が形成され、前記嵌込み凸縁は前記囲い壁の先端縁が更に内側に水平に伸びることによって形成され、前記嵌込み凸縁が前記嵌込み溝に嵌め込まれることを特徴とする請求項１に記載のペーパーハニカムコア電気スタンド構造。
【請求項７】
前記接合リングは、前記導電ソケットにスクリュー構造によってねじ込まれていることを特徴とする請求項５または請求項６に記載のペーパーハニカムコア電気スタンド構造。
【請求項８】
前記接合リングは、前記導電ソケットに固定状態で接合されていることを特徴とする請求項５または請求項６に記載のペーパーハニカムコア電気スタンド構造。
【考案の詳細な説明】
【０００１】
【考案の属する技術分野】
本考案は、電気スタンドに関し、詳しくは、ペーパーハニカムコア電気スタンドの構造に関する。
【０００２】
【従来の技術】
通常の電気スタンドの構造は、例えば、よく使用されるテーブル電気スタンドで言えば、平面に置くことのできる台座、台座に差し込まれる電球、台座にかぶせるように取り付けられる円錐状のスチール枠及びそのスチール枠の外側を覆う半透明状のカバーから構成されている。しかし、このような電気スタンドは、構成パーツが多すぎるため、製造コストが高くなり、そして各パーツの材質がそれぞれ異なるため、資源の有効利用及び環境保護の面からみれば、相当程度の悪影響を及ぼしている。
【０００３】
そこで、エコ意識が向上する中で、ますます多くの商品は構成パーツの数を大幅に減らし、または、商品の一部のパーツにリサイクルできる素材を使用するようになり、例えば、中華民国特許公開第３７６８４４号に示された「幾何的形状変化性質を持つペーパーハニカムコア構造」はペーパーハニカムコアの構造を生かし、前記の問題を解決しようとする例である。しかし、前記公開特許はペーパーハニカムコアをシェードの構造に利用する（添付の図１及び図２を参照）ときにはなおペーパーハニカムコアでできた円錐体１の外側に外付カバー２（一般的電気スタンドの半透明カバー）をかぶせ、且つ前記円錐体１の内部に裏付カバー３（図１に示した一般的電気スタンドの裏付カバー）を挿し込み、そして、前記裏付カバー３を電球が差し込まれた台座４（台座は円盤及び円柱から構成される）に取り付ける必要がある（図２参照）。但し、このような形態の電気スタンドは従来のスチール枠をペーパーハニカムに替えただけで、それ以外のパーツは相変わらず存在し、実際、電気スタンド全体の製造材料、コスト及び環境保護面の問題を有効且つ顕著に改善することはできない。
【０００４】
【考案が解決しようとする課題】
本考案は、必要な構成パーツを大幅に減らし、使用材料及びコストを節約できるペーパーハニカムコア電気スタンドの構造を提供することを目的とする。
本考案は、簡単に組み立てや取り外しができ、そして、収納や使用が便利なペーパーハニカムコア電気スタンドの構造を提供することを第二の目的とする。
本考案は、外観が美しいペーパーハニカムコア電気スタンドの構造を提供することを第三の目的とする。
【０００５】
【課題を解決するための手段】
前記目的を達成するため、本考案の提供するペーパーハニカムコア電気スタンド構造（一）は、ペーパーハニカムコアシェードを一つ及び照明器部分を一つを含む。前記シェードは必要な寸法に合わせてカットされたペーパーハニカムコアから構成され、その両側はそれぞれジョイントフェースを有し、前記ジョイントフェースを接合させると、その内部に一端が外部と連通した収納スペースが形成され、前記シェードの外部連通端に嵌込み溝が設けられている。前記照明器部分は光を放つことができ、前記シェードの収納スペースに収められ、また、嵌込み凸縁を有し、前記嵌込み溝と相互に嵌合して結合することができる。
【０００６】
【考案の実施の形態】
審査官の方々に本考案の特徴及び目的を深く理解していただくため、下記に好ましい実施例を列挙し、図を参照して説明する。
図３〜図５は、本考案の第１実施例で提供したペーパーハニカムコア電気スタンド構造１００であり、主に、ペーパーハニカムコアシェード１０及び照明器部分２０を含む。
【０００７】
前記ペーパーハニカムコアシェード１０は必要な寸法に合わせてカットされたペーパーハニカムコアシェード本体１１を有し、前記本体１１は所定の伸縮性を有し、押さえられると収縮し、引張られると開くことができ、且つ開いた状態では多数のハニカム状の貫通孔が形成され、前記本体１１は開いた状態で円錐体状を呈する透光部１１１と、同じく開いた状態で円弧状を呈する結合部１１２とを同時に作り出すことができ、前記本体１１の両側はそれぞれジョイントフェース１２またはジョイントフェース１３を有し、前記ジョイントフェース１２及び前記ジョイントフェース１３の互いに対応する位置にはそれぞれ相互に接合できる接合パーツ１４または接合パーツ１５が設けられ、前記接合パーツ１４及び接合パーツ１５は相互に粘着できる面ファスナーまたはその他の接合でき、且つ所定の外力の干渉で相互に分離できるような従来周知のパーツである。前記ジョイントフェース１２と前記ジョイントフェース１３とが前記接合パーツ１４及び前記接合パーツ１５によって相互に接合され、貼り合わさった状態を呈するとき、前記本体１１の内部に前記透光部１１１と前記接合部１１２とを連通する収納スペース１６が形成され、前記収納スペース１６はさらに前記接合部１１２のところに外部とつながる開口部を有し、前記接合部１１２の内壁周りには環状の嵌込み溝１７が形成される。
【０００８】
前記照明器部分２０は電球２１、導電ソケット２２及び接合リング２３を含む。前記電球２１は前記導電ソケット２２に差し込まれ、前記導電ソケット２２は外部の電力に接続して電球２１に光を放たせることができる。前記接合リング２３はそれ自身のねじ溝と導電ソケット２３のねじ山の構造によってねじ込むことができ、こうして、接合リング２３を前記導電ソケット２２上の所定の範囲内で上下に移動させることができ（即ち、導電ソケット２３のねじ山が設けられた範囲内で回転によって上下方向に移動する）、また、前記接合リング２３の外周に環状の嵌込み凸縁２３１が設けられている。
【０００９】
以上は本実施例の主な構成パーツについての紹介であるが、次にそれの使用方法及び特徴を説明する。
まず、本実施例を使用するときには、最初に照明器部分２０の各パーツを組み立て（電球２１、導電ソケット２２及び接合リング２３を組み立てる）、それから、前記接合リング２３の嵌込み凸縁２３１の一部を先にシェード１０の嵌込み溝１７に嵌め込み、そして、接合パーツ１４と接合パーツ１５の接着を通じて前記シェード１０のジョイントフェース１２とジョイントフェース１３とを接着させ（即ち、シェード１０を完全に開いた状態にする）、こうして、前記接合リング２３の嵌込み凸縁２３１を完全に前記嵌込み溝１７に嵌め込むことができるので、シェード１０と照明器部分２が一体化し、このときの電球２１は前記シェード１０の収納スペース１６に収納され、光はペーパーハニカムコアの貫通孔部分を通して外に放射される。
【００１０】
また、前記照明器部分１００を分解または収納するときには、まず、前記シェード１０のジョイントフェース１２とジョイントフェース１３とを分離させ（即ち、前記接合パーツ１４と前記接合パーツ１５とを分離状態にする）、それから、前記シェード１０を圧縮し、体積を縮小させ、また、前記照明器部分２０の嵌込み凸縁２３１を前記嵌込み溝１７から抜き出すと、前記照明器部分２０とシェード１０とを分離状態にすることができるので、収納に便利である。
【００１１】
さらに、前記接合リング２３と前記導電ソケット２２との間はスクリュー構造によって接合されているため、前記接合リング２３と前記導電ソケット２２との間の相対的位置の可変性（即ち、前記接合リング２３の前記導電ソケット２２における定位置の変化）を生かすことで、前記電球２１の前記収納スペース１６の中における高さは使用者のニーズに応じて調整できる。もちろん、電球の収納スペースにおける高さを変える必要がない場合、本実施例の接合リングは導電ソケットに直接固定することができ、或いは、導電ソケットの外側縁に直接に前記嵌込み凸縁を設けるように接合リングと前記導電ソケットとの相対位置を固定することができるので、同様にシェードを照明器部分につなげる効果を得ることができる。
【００１２】
図６及び図７は本考案の提供するペーパーハニカムコア電気スタンド構造２００の第２実施例であり、その構造は前記実施例と同じくペーパーハニカムコアシェード３０及び照明器部分４０を含むが、両者の主な相違は下記の通りである。前記シェード３０の嵌込み溝３７は、前記接合部１１２の外側周りに環状に設けられている。
【００１３】
前記照明器部分４０の接合リング４３は前記導電ソケット４２に嵌め込まれ、前記接合リング４３の底部周縁は上部に垂直に伸びて囲い壁を形成し、且つ前記囲い壁４３１の直径は前記シェード３０の接合部３１２が開いた状態における底縁の直径とほぼ同じで、前記囲い壁４３１の先端縁は更に内側に向かって水平方向に伸びて嵌込み凸縁４３２を形成する。
【００１４】
前記シェード３０を前記照明器部分４０に接合させるときには、まず圧縮状態のシェード３０の底縁を前記接合リング４３の底部に入れ、前記接合リング４３の嵌込み凸縁４３２を前記シェード３０の嵌込み溝３７に嵌め込み、それから、前記シェード３０を完全に開き（即ち、前記シェード３０の両ジョイントフェースを接着させる）、前記接合リング４３の嵌込み凸縁４３２を完全に前記シェード３０の嵌込み溝３７に嵌め込み、こうして、前記シェード３０と前記照明器部分４０の組み立て作業を完成する。
【００１５】
以上をまとめてみると、本考案ではもっとも少ないパーツで電気スタンド完成品を組み立てることができ、同類商品の中できわめて進歩性を有し、且つ使用が便利で、美的効果を増強することもできる。そのうえ、本考案を出願する前において、同様の商品が雑誌等で公開されたり、または、公に使用されたりしたことはないので、本考案は実用新案登録出願の条件を備えているとみて、発明者の努力を保証するため、法に基づいて、本考案の出願を申し出るものである。
【図面の簡単な説明】
【図１】従来のシェードの分解斜視図である。
【図２】従来のシェードの斜視図である。
【図３】本考案の第一実施例によるペーパーハニカムコア電気スタンドの構造を示す模式図である。
【図４】本考案の第一実施例によるペーパーハニカムコア電気スタンドの構造を示す立体分解図である。
【図５】本考案の第一実施例によるペーパーハニカムコア電気スタンドの構造を示す断面図である。
【図６】本考案の第二実施例によるペーパーハニカムコア電気スタンドの構造を示す側面分解図である。
【図７】本考案の第二実施例によるペーパーハニカムコア電気スタンドの構造を示す断面図である。
【符号の説明】
１０　　ペーパーハニカムコアシェード
１１　　ペーバーハニカムコア本体
１２　　ジョイントフェース
１３　　ジョイントフェース
１４　　接合パーツ
１５　　接合パーツ
１６　　収納スペース
１７　　嵌込み溝
２０　　照明器部分
２１　　電球
２２　　導電ソケット
２３　　接合リング
３０　　ペーパーハニカムコアシェード
３７　　嵌込み溝
４０　　照明器部分
４２　　導電ソケット
４３　　接合リング
１００　　ペーパーハニカムコア電気スタンド構造
１１１　　透光部
１１２　　接合部
２００　　ペーパーハニカムコア電気スタンド構造
２３１　　嵌込み凸縁
３１２　　接合部
４３１　　囲い壁
４３２　　嵌込み凸縁
【図１】
0003099214.tif 000003
【図２】
0003099214.tif 000004
【図３】
0003099214.tif 000005
【図４】
0003099214.tif 000006
【図５】
0003099214.tif 000007
【図６】
0003099214.tif 000008
【図７】
0003099214.tif 000009